(57)【特許請求の範囲】
【請求項１】
インクリボンを収容するためのカセット本体と、該カセット本体に着脱可能に設けられるカセット蓋とを有し、前記カセット本体には前記インクリボンの引出し口と引入れ口とが設けられると共に、前記引出し口から引き出されたインクリボン露呈部をその厚さ方向両側から挟持して該インクリボン露呈部に張力を付与しながらインクリボンを外部に導くためのテンション付与機構が設けられているインクリボンカセットであって、
前記テンション付与機構は、インクリボンガイド用の周面を有する起立ガイド柱と、該起立ガイド柱に向けて前記インクリボンを押圧しながら協働して起立挟持する押圧付勢部材とから構成され、
前記起立ガイド柱は、前記カセット蓋の前記カセット本体からの取り外しに連動して前記インクリボンの起立挟持を解除する方向に移動され、前記カセット蓋の前記カセット本体への取り付けに連動して前記インクリボンを起立挟持する方向に移動されるよう構成され、
前記起立ガイド柱は、起立姿勢と傾倒姿勢との二姿勢を維持可能とされ、前記カセット蓋を前記カセット本体から取り外したときに傾倒姿勢方向に回動され、且つ、前記カセット蓋を前記カセット本体に取り付けたときに起立姿勢方向に回動されるよう構成され、
前記押圧付勢部材は、板バネである一方、前記起立ガイド柱は、前記カセット本体に配設された支軸にその基端部を回動自在に枢支され、
前記起立ガイド柱は、連結アームを有し、前記カセット本体には起立取り付け板が設けられ、該起立取り付け板に前記連結アームに回動可能に相互連結される連結アームが回動可能に支持され、両連結アームには、前記カセット蓋を前記カセット本体から取り外したときに前記起立ガイド柱を前記支軸を中心にして前記傾倒姿勢方向に回動させるための引っ張りコイルスプリングが掛け渡されていることを特徴とするインクリボンカセット。
【請求項２】
請求項１において、前記カセット蓋には押圧突起が形成され、前記カセット本体にはシーソー板が揺動可能に支持され、該シーソー板の一端部は前記両連結アームの回動連結部に係合する係合部とされ、前記シーソー板の他端部は前記押圧突起に係合する係合部とされて、前記カセット蓋を前記カセット本体に取り付けたときに前記押圧突起が前記シーソー板の他端部を押し下げてその一端部を持ち上げることにより前記両連結アームを前記カセット本体の底部から浮かせることに基づき前記起立ガイド柱を起立姿勢に維持し、前記カセット蓋を前記カセット本体から取り外したときに前記引っ張りコイルスプリングの張力に基づき前記起立ガイド柱を前記傾倒姿勢に維持することを特徴とするインクリボンカセット。
【発明の詳細な説明】
【０００１】
【発明の属する技術分野】
本発明は、インクリボンの交換の際に、廃棄すべき古いインクリボンの取り外しが容易で且つ装着すべき新しいインクリボンのセットが容易なインクリボンカセットに関する。
【０００２】
【従来の技術】
従来から、インクリボンカセットには、図４に示すように、インクリボン１を収容するカセット本体２に、インクリボン１の引出し口３と引入れ口４とが設けられると共に、印字を行うためにインクリボン１を引出し口３から引き出して送出する際に、その引き出されたインクリボン露呈部１ａにテンションを付与するテンション付与機構５が設けられている。
【０００３】
このテンション付与機構５は、板バネ６を備えており、この板バネ６は、その基端６ａがカセット本体２の起立壁２ａに固定され、その板バネ６の自由端６ｂはカセット本体２の起立壁２ｂに形成されたガイド用半円柱状突起部２ｃに当接するように付勢されている。
【０００４】
ところで、この種の従来のインクリボンカセットでは、印字がかすれてきたような場合、カセット本体２に収納されている古いインクリボン１を取り除くために、カセット本体２からカセット蓋７を取り外し、引出し口３の近傍のインクリボン露呈部１ａを摘んで、板バネ６の自由端６ｂとガイド用半円柱状突起部２ｃとで挟持されているインクリボン１をその挟持が解除される縦方向に引き出して、カセット本体２内に収容されている古いインクリボン１を廃棄し、新らしいインクリボンをカセット本体２にセットするようにしている。
【０００５】
【発明が解決しようとする課題】
しかしながら、板バネ６とガイド用半円柱状突起部２ｃとによる挟持力がきつ過ぎると、インクリボン１の交換の際に、廃棄すべき古いインクリボン１を軽く摘んで取り外すというわけにはいかず、インクリボン１をしっかりときつく摘んで取り外さなければならないために、指が汚れると共に取り外しが容易でないという問題がある。
【０００６】
また、装着すべき新しいインクリボンをカセット本体２にセットする際にも、板バネ６を撓ませることにより、その板バネ６の自由端６ｂとガイド用半円柱状突起部２ｃとの間に縦方向に長く延びる隙間を開けて、その隙間にインクリボンを縦方向から差し込まなければならないが、インクリボンは肉厚が薄く且つ軟らかいために、縦方向に長い隙間に断面が縦方向に細長いインクリボンをよじれないようにしてセットするのが難しいという問題がある。
【０００７】
本発明の課題は、インクリボンの交換の際に、廃棄すべき古いインクリボンの取り外しが容易で且つ装着すべき新しいインクリボンのセットが容易なインクリボンカセットを提供することにある。
【０００８】
【課題を解決するための手段】
上記課題を達成するため、本願請求項１に記載の発明は、インクリボンを収容するためのカセット本体と、該カセット本体に着脱可能に設けられるカセット蓋とを有し、前記カセット本体には前記インクリボンの引出し口と引入れ口とが設けられると共に、前記引出し口から引き出されたインクリボン露呈部をその厚さ方向両側から挟持して該インクリボン露呈部に張力を付与しながらインクリボンを外部に導くためのテンション付与機構が設けられているインクリボンカセットであって、前記テンション付与機構は、インクリボンガイド用の周面を有する起立ガイド柱と、該起立ガイド柱に向けて前記インクリボンを押圧しながら協働して起立挟持する押圧付勢部材とから構成され、前記起立ガイド柱は、前記カセット蓋の前記カセット本体からの取り外しに連動して前記インクリボンの起立挟持を解除する方向に移動され、前記カセット蓋の前記カセット本体への取り付けに連動して前記インクリボンを起立挟持する方向に移動されるよう構成され、前記起立ガイド柱は、起立姿勢と傾倒姿勢との二姿勢を維持可能とされ、前記カセット蓋を前記カセット本体から取り外したときに傾倒姿勢方向に回動され、且つ、前記カセット蓋を前記カセット本体に取り付けたときに起立姿勢方向に回動されるよう構成され、前記押圧付勢部材は、板バネである一方、前記起立ガイド柱は、前記カセット本体に配設された支軸にその基端部を回動自在に枢支され、前記起立ガイド柱は、連結アームを有し、前記カセット本体には起立取り付け板が設けられ、該起立取り付け板に前記連結アームに回動可能に相互連結される連結アームが回動可能に支持され、両連結アームには、前記カセット蓋を前記カセット本体から取り外したときに前記起立ガイド柱を前記支軸を中心にして前記傾倒姿勢方向に回動させるための引っ張りコイルスプリングが掛け渡されていることを特徴とするものである。
【０００９】
本発明によれば、カセット本体からカセット蓋を取り外すと、カセット蓋の取り外しに連動して自動的に起立ガイド柱が挟持を解除する方向に移動されて、押圧付勢部材と起立ガイド柱との間に隙間が形成されるので、廃棄すべき古いインクリボンをカセット本体から取り除くのが容易である。また、新しいインクリボンをカセット本体に収容してセットするために、インクリボンを起立ガイド柱と押圧付勢部材との間の隙間に差し込む際にも、既に隙間が形成されているので、断面が縦方向に細長いインクリボンをよじれないようにして容易に差し込むことができる。しかも、カセット本体にカセット蓋を取り付けると、このカセット蓋の取り付けに連動して起立ガイド柱が移動されてインクリボンを押圧付勢部材と協働して挟持するため、新しいインクリボンのセットも容易である。
【００１１】
本発明によれば、カセット蓋を取り付けた状態と取り外した状態に対応して、前記起立ガイド柱が起立姿勢と傾倒姿勢との二姿勢を維持するように構成したので、先ずカセット蓋を外しておけば起立ガイド柱の傾倒姿勢が維持されている。従って、この状態でインクリボンの交換を行えるので、その交換操作がし易い。また、カセット蓋が取り付けられている状態では起立ガイド柱が起立姿勢を保ってしっかりとインクリボンを起立挟持しているので、適切な張力を安定してインクリボンに与えておくことができる。
【００１４】
また、本願請求項２に記載の発明は、請求項１に記載されたインクリボンカセットにおいて、前記カセット蓋には押圧突起が形成され、前記カセット本体にはシーソー板が揺動可能に支持され、該シーソー板の一端部は前記両連結アームの回動連結部に係合する係合部とされ、前記シーソー板の他端部は前記押圧突起に係合する係合部とされて、前記カセット蓋を前記カセット本体に取り付けたときに前記押圧突起が前記シーソー板の他端部を押し下げてその一端部を持ち上げることにより前記両連結アームを前記カセット本体の底部から浮かせることに基づき前記起立ガイド柱を起立姿勢に維持し、前記カセット蓋を前記カセット本体から取り外したときに前記引っ張りコイルスプリングの張力に基づき前記起立ガイド柱を前記傾倒姿勢に維持することを特徴とする。本発明によれば、前記起立ガイド柱の前記カセット蓋開閉との連動を容易に実現することができると共に、その起立姿勢と傾斜姿勢の維持を構造簡単にして実現することができる。
【００１５】
【発明の実施の形態】
以下に、本発明に係るインクリボンカセットを図面に基づいて詳細に説明する。図１は本発明に係るインクリボンカセットのテンション付与機構の挟持状態を説明するための図であって、（Ａ）はそのテンション付与機構の正面図、（Ｂ）はそのテンション付与機構の側面図であり、図２は本発明に係るインクリボンカセットのテンション付与機構の挟持解除状態を説明するための図であって、（Ａ）はそのテンション付与機構の正面図、（Ｂ）はそのテンション付与機構の側面図であり、図３はそのテンション付与機構の概略構成を示す部分斜視図である。
【００１６】
図３において、符号１０はカセット本体である。このカセット本体１０には蛇腹状に折り畳まれたインクリボン１１が収容されている。なお、インクリボン１１の前記蛇腹状部分は図３には現れていない。カセット本体１０には起立壁１０ａが設けられ、インクリボン１１はこの起立壁１０ａに案内されて、引出し口１０ｂに案内され、この引出し口１０ｂから外部に露呈される。図３において、符号１１ａはその引出し口１０ｂから外部に露呈されたインクリボン露呈部を示している。
【００１７】
カセット本体１０にはテンション付与機構１３が設けられている。このテンション付与機構１３は起立ガイド柱１４と板バネ１５とから概略構成されている。カセット本体１０には板バネ１５を取り付けるための取り付け壁（図示を略す）が設けられ、板バネ１５の基端部がその取り付け壁に固定され、板バネ１５の自由端１５ａは起立ガイド柱１４の周面１４ａに当接する方向に付勢されている。
【００１８】
その板バネ１５は、インクリボン１１を押圧しながら起立ガイド柱１４と協働してインクリボン１１を起立挟持する押圧付勢部材としての役割を果たす。その起立ガイド柱１４には、その基端部に回動球面部１４ｂが、図１（Ａ）および図２（Ａ）に示したように形成され、この回動球面部１４ｂは、カセット本体１０に固定の支軸１６に回動可能に支持され、これにより、起立ガイド柱１４は起立姿勢と傾倒姿勢との間で二姿勢を採り得るようになっている。
【００１９】
その起立ガイド柱１４は、その起立方向中間部分に連結アーム１７が形成され、この連結アーム１７は他の連結アーム１８とその自由端部において回動可能に相互連結され、その自由端部同士が相互に両連結アーム１７、１８を連結する回動連結部３０となっている。
【００２０】
カセット本体１０の底部１０ｃには、起立取り付け板１９が設けられると共にシーソー板２０が設けられている。起立取り付け板１９には支持ピン２１が設けられ、連結アーム１８の基端部にはその支持ピン２１が挿通される案内穴２２が設けられ、その連結アーム１８は支持ピン２１を介して起立取り付け板１９に揺動可能に支持されている。
【００２１】
連結アーム１７、１８には引っかけ部２３、２４が形成され、この引っかけ部２３、２４には引っ張りコイルスプリング２５が掛け渡されている。そして、この引っ張りコイルスプリング２５は、起立ガイド柱１４を傾倒姿勢方向に付勢する役割を果たしている。
【００２２】
シーソー板２０の下部には、凹曲面部２６が、図１（Ｂ）および図２（Ｂ）に示すように形成され、底部１０ｃには凹曲面部２６を揺動可能に支持する支持部２７が形成され、シーソー板２０はその支持部２７を支点にして揺動可能である。シーソー板２０の一端部２０ａは、回動連結部３０に係合する係合部となっており、シーソー板２０の他端部２０ｂはカセット蓋２８に形成された押圧突起２８ａが係合する係合部となっている。
【００２３】
その起立ガイド柱１４は、カセット蓋２８のカセット本体１０からの取り外しに連動してインクリボン１１の起立挟持を解除する方向に移動され、カセット蓋２８のカセット本体１０への取り付けに連動してインクリボン１１を起立挟持する方向に移動されるように形成されている。
【００２４】
本発明の実施の形態によれば、図１に示したように、カセット蓋２８をカセット本体１０に取り付けると押圧突起２８ａがシーソー板２０の他端部２０ｂを押し下げ、これによりシーソー板２０の一端部２０ａが持ち上げられ、両連結アーム１７、１８の回動連結部３０が図１（Ａ）に示すようにカセット本体１０の底部１０ｃから浮き上がって起立ガイド柱１４が起立姿勢に維持され、その際に、引っ張りコイルスプリング２５が伸張されて、引っ張りコイルスプリング２５に起立ガイド柱１４を傾倒方向に付勢する付勢力が蓄積される。また、この起立ガイド柱１４と板バネ１５の自由端１５ａとにより、インクリボン１１が起立挟持される。
【００２５】
カセット蓋２８をカセット本体１０から取り外すと、図２に示したように、引っ張りコイルスプリング２５の張力に基づき、起立ガイド柱１４が支軸１６を支点にして傾倒姿勢方向に回動され、図２（Ａ）に示すように、板バネ１５の自由端１５ａと起立ガイド柱１４との間に上方に開放する隙間２９が形成される。従って、廃棄すべき古いインクリボンをインクリボンカセットから取り除くときには、廃棄すべきインクリボン１１を軽く摘んで矢印Ａ方向に持ち上げて引き出すと、インクリボン１１の挟持が解除される。そのインクリボン１１の挟持が解除されると、回動球面部１４ｂの周面と板バネ１５の自由端１５ａとが接触する。
【００２６】
装着すべき新しいインクリボン１１をインクリボンカセットにセットするときには、起立ガイド柱１４と板バネ１５の自由端１５ａとの間に既にできている隙間２９に、その新しいインクリボン１１を摘みながら矢印Ｂ方向（縦方向）から差し込む。このとき、板バネ１５の自由端１５ａを少し撓ませることにより回動球面部１４ａの周面と板バネ１５の自由端１５ａの接触面との間にも隙間が開き、インクリボン１１をきちんとセットする。そして、カセット蓋２８をカセット本体１０に取り付けると、シーソー板２０が揺動されて、起立ガイド柱１４が起立姿勢方向に回動され、これによって、新しいインクリボンが起立ガイド柱１４と自由端１５ａとの間で厚さ方向両側から起立挟持され、インクリボン露呈部１１ａを引出し方向に引っ張ると、テンション付与機構１３によりインクリボン露呈部１１ａに適宜の張力が付与される。
【００２７】
【発明の効果】
本発明によれば、カセット本体からカセット蓋を取り外すと、カセット蓋の取り外しに連動して自動的に起立ガイド柱が挟持を解除する方向に移動されて、押圧付勢部材と起立ガイド柱との間に隙間が形成されるので、廃棄すべき古いインクリボンをカセット本体から取り除くのが容易である。また、新しいインクリボンをカセット本体に収容してセットするために、インクリボンを起立ガイド柱と押圧付勢部材との間の隙間に差し込む際にも、既に隙間が形成されているので、断面が縦方向に細長いインクリボンをよじれないようにして容易に差し込むことができる。しかも、カセット本体にカセット蓋を取り付けると、このカセット蓋の取り付けに連動して起立ガイド柱が移動されてインクリボンを押圧付勢部材と協働して挟持するため、新しいインクリボンのセットも容易である。
【図面の簡単な説明】
【図１】本発明に係るインクリボンカセットのテンション付与機構の挟持状態を説明するための図であって、（Ａ）はそのテンション付与機構の正面図、（Ｂ）はそのテンション付与機構の側面図である。
【図２】本発明に係わるインクリボンカセットのテンション付与機構の挟持解除状態を説明するための図であって、（Ａ）はそのテンション付与機構の正面図、（Ｂ）はそのテンション付与機構の側面図である。
【図３】図１および図２に示すテンション付与機構の概略構成を示す部分斜視図である。
【図４】従来のインクリボンカセットのテンション付与機構を説明するための部分断面斜視図である。
【符号の説明】
１０    カセット本体
１１    インクリボン
１１ａ  インクリボン露呈部
１２    引出し口
１３    テンション付与機構
１４    起立ガイド柱
１５    押圧付勢部材（板バネ）
２８    カセット蓋
【図１】
0003601672.tif 000002
【図２】
0003601672.tif 000003
【図３】
0003601672.tif 000004
【図４】
0003601672.tif 000005